(57)【特許請求の範囲】
【請求項１】
一方の機器を他方の機器に接続するための接続機構であって、
他方の機器には一方の機器の被係合部に係合する係合部が係合位置と非係合位置との間を移動自在に設けられ、
また、他方の機器の一方の機器を載置する載置面には一方の機器が載置されたことを検知する２種類の載置検知手段が設けられ、
上記２種類の載置検知手段が所定の順序で一方の機器が載置されたことを検知した時に上記係合部が係合位置に移動するようにし、
上記係合部が係合位置への移動力を弾発手段により弾発付勢されていると共に、上記他方の機器には係合部の係合位置への移動を阻止するロック位置と係合部の係合位置への移動を許容するロック解除位置との間を移動するストッパが設けられ、
上記２種類の載置検知手段のうち第２の載置検知手段が一方の機器の上記載置面への載置により該第１の機器によって押圧されて移動される移動部材であり、
第１の載置検知手段が一方の機器の載置を検知することによって上記第２の載置検知手段とストッパとが連係され、一方の機器の上記載置面への載置による第２の載置検知手段の移動により上記ストッパがロック解除位置へと移動して上記係合部が係合位置へと移動する
ことを特徴とする接続機構。
【請求項２】
一方の機器には接続用のコネクタと該接続用コネクタを隠蔽する隠蔽位置と接続用コネクタを露出させる露出位置との間を移動するカバーが設けられ、
他方の機器には一方の機器の接続用コネクタと接続される接続位置と該接続用コネクタから離間する非接続位置との間を移動する移動コネクタが設けられ、
上記係合部の係合位置への移動によって上記カバーが露出位置へと移動し、それから上記移動コネクタが接続位置へと移動する
ことを特徴とする請求項１に記載の接続機構。
【請求項３】
移動コネクタの移動がモータを駆動源として為される
ことを特徴とする請求項２に記載の接続機構。
【発明の詳細な説明】
【０００１】
【発明の属する技術分野】
本発明は新規な接続機構に関する。詳しくは、一方の機器を他方の機器に接続するための接続機構において、誤操作により機構が中途半端な状態のままとなってしまうことを防止する技術に関する。
【０００２】
【従来の技術】
一方の機器を他方の機器に接続するための接続機構がある。
【０００３】
例えば、携帯性を重視して搭載する機能をある程度絞って作られた携帯型機器を、インドアにおいては据置型機器と同等の機能を持たせて使用し得るようにステーションと称されるアダプタに接続して使用することが行われている。
【０００４】
そのようなアダプタに使用される接続機構の一例を図１８及び図１９に示す。
【０００５】
スライダーａが図示しないシャーシに摺動自在に支持されている。該スライダーａと図示しないシャーシとの間にはコイルスプリングｂが張設されており、これによりスライダーａには図１８における右方へ向けての移動力が付勢されている。
【０００６】
そして、このスライダーａの左端寄りの部分には係合部ｃ、ｃが形成され、また、スライダーａの右端部には左右方向に長く、且つ、右端に開口した切欠ｄが形成されている。更に、スライダーａにはその左端寄りの部分の両側縁に切欠が形成され該切欠の左端縁が当接縁ｅ、ｅとされている。更にまた、スライダーａの右端寄りの位置には切り起こし片ｆが形成され、該切り起こし片ｆにコロｇが回転可能に支持されている。
【０００７】
図示しないシャーシには板バネ材料から成る制御部材ｈがそのほぼ中央部で固定されている。制御部材ｈは左右方向に長い部分のほぼ中央部からほぼ逆Ｌ字状の部分が左方へ向かって突出した形状、即ち、左半分の部分が２叉状をした形状をしており、右端部には載置検知軸ｉが上方へ向かって突出するように固定されている。この載置検知軸ｉは下端部が外径の大きい大径部ｉ１とされ、その上側に続く部分が上記大径部ｉ１より外径の小さい小径部とされ、該小径部ｉ２の上側に小径部ｉ２より外径の大きい頭部ｉ３が連続されている。そして、小径部ｉ２の外径は上記スライダーａの切欠ｄの幅より僅かに小さくされており、大径部ｉ１の外径は切欠ｄの幅より大きくされている。
【０００８】
２叉状部分の各腕の左端部は上方へ向けて屈曲されてストッパ片ｊ、ｊとされ、また、該左端部の外側縁には上方へ向けて突出された載置検知突起ｋ、ｋが設けられている。
【０００９】
そして、一方の機器が他方の機器の載置面に載置されていない状態において、図示しない外筐の載置面に形成された孔を通して上記載置検知軸ｉの頭部ｉ３が載置面から上方に突出し、また、同じく載置検知突起ｋ、ｋの上端部が載置面に形成された孔を通して載置面から上方に突出されている。そして、この状態において、制御部材ｈのストッパ片ｊ、ｊは上記スライダーａの当接縁ｅ、ｅの右側に位置し、これによって、スライダーａは右方への移動を阻止された状態になっている。この状態におけるスライダーａの位置が非係合位置である（図１８参照）。また、スライダーａが非係合位置にある状態で、載置検知軸ｉの大径部ｉ１がスライダーａの切欠ｄに対応した高さに位置しており、そして、スライダーａに支持された図示しないシャッターが外筐の載置面に形成されたコネクタ突出孔を閉塞した状態となっている。
【００１０】
上記図示しないシャーシに左右方向に長いコネクタ支持部材ｌがその中央より右方に寄った位置で上下方向に回動自在に支持されている。該コネクタ支持部材ｌの回動支点ｍが位置した部分の下縁からバネ掛け片ｎが下方へ向けて突設され、該バネ掛け片ｎとシャーシとの間にコイルスプリングｏが張設され、これによって、コネクタ支持部材ｌにはその左端部が下方へ移動する方向への回動力が付勢されている。そして、コネクタ支持部材ｌの右端部には上方へ突出した被押圧突起ｐが形成され、また、左端部上面には移動コネクタｑが支持されている。
【００１１】
しかして、他方の機器の図示しない載置面に一方の機器ｒ（図では筐体の一部のみを示す。）が載置されると（この時、先ず一方の機器ｒの底面の右端部を載置面に当接させ、次いで、左側を載置面に当接させていく。）、先ず、一方の機器ｒの右側の底面によって載置検知軸ｉの頭部ｉ３が押し込まれ、これによって、載置検知軸ｉの小径部ｉ２がスライダーａの切欠ｄに対応した高さに位置する。
【００１２】
それから、一方の機器ｒの左側の底面によって載置検知突起ｋ、ｋが押圧されるので、制御部材ｈの２叉状部分の各腕がその左端が下方へ移動するように撓み、これによってストッパ片ｊ、ｊが下方へ下がり、スライダーａの当接縁ｅ、ｅとの係合が解除されるので、スライダーａはコイルスプリングｂによって付勢されている移動力によって右方へ移動する。尚、この時、スライダーａの切欠ｄ内に載置検知軸ｉの小径部ｉ２が挿入されていくことによってスライダーａの右方への移動が許容される。
【００１３】
このスライダーａの右方への移動によって、その係合部ｃ、ｃが一方の機器ｒの図示しない被係合部に係合し、また、スライダーａに支持された図示しないシャッターが移動して載置面に形成された図示しないコネクタ突出孔を開放する。
【００１４】
また、これと同時に、スライダーａに支持されたコロｇがコネクタ支持部材ｌの被押圧突起ｐを右方へ押圧するので、コネクタ支持部材ｌがコイルスプリングｏによる回動力に抗してその左端が上方へ移動するように回動され、従って、その左端部に支持された移動コネクタｑが上記図示しないコネクタ突出孔を通して上方へ突出し、方の機器ｒの図示しない接続用コネクタと接続される。
【００１５】
【発明が解決しようとする課題】
ところで、上記した従来の接続機構にあっては、誤操作により各部が中途半端な状態になってしまうという問題がある。
【００１６】
即ち、上記したように、先ず、載置検知軸ｉが押圧され、次いで、載置検知突起ｋ、ｋが押圧されると、スライダーａが右方へ移動して、一方の機器ｒの載置面への保持と移動コネクタｑと接続用コネクタとの接続が為されるが、何かの拍子に、載置検知突起ｋ、ｋの方が先に押圧されてしまうと、ストッパ片ｊ、ｊが下方へ移動し、スライダーａに対するロックが解除されてしまうので、スライダーａは右方へ移動してしまう。しかしながら、載置検知軸ｉは押圧されていないので、載置検知軸ｉの大径部ｉ１がスライダーａの切欠ｄに対応した高さにあり、従って、切欠ｄ内に載置検知軸ｉが入っていくことができないので、スライダーａはその右端縁が載置検知軸ｉの大径部ｉ１に当接したところで停止してしまう（図１８の２点鎖線参照）。しかも、この状態では、載置検知軸ｉにスライダーａの右端縁がコイルスプリングｂの力で圧着された状態となっているため、この載置検知軸ｉを押し下げることができない。従って、スライダーａが僅かに右方へ移動しただけの中途半端な状態でロックしてしまうという事態が生じることになる。
【００１７】
更に、上記した従来の接続機構にあっては、一方の機器ｒ側の接続用コネクタと他方の機器側の移動コネクタｑとの安定した圧着力を得ることができないという問題もある。
【００１８】
即ち、接続用コネクタと移動コネクタｑとの圧着力はスライダーａ及びコネクタ支持部材ｌを介して作用するコイルスプリングｏのバネ力にかかっている。ところが、該コイルスプリングｏはスライダーａとシャーシとの間に張設されているものであるので、スライダーａとシャーシとの間の摩擦抵抗等によって移動コネクタｑを接続用コネクタに圧着させる力が異なってくるものであり、また、スライダーａとシャーシと間の摩擦抵抗等はこれら部材の変形等によって大きく変化してくるものであるので、設計通りの圧着力を得るのが難しく、また、使用を経るに従って汚れが付着したり部材が変形をしたりする等のことによって著しく狂ってくるという問題がある。
【００１９】
そこで、本発明は、誤操作によって機構が中途半端な状態になってしまうことがないようにすることを課題とするものである。
【００２０】
また、一方の機器のコネクタと他方の機器のコネクタとの間の安定した圧着力を得ることができるようにすることをも課題とするものである。
【００２１】
【課題を解決するための手段】
本発明接続機構は、上記した課題を解決するために、他方の機器には一方の機器の被係合部に係合する係合部が係合位置と非係合位置との間を移動自在に設けられ、また、他方の機器の一方の機器を載置する載置面には一方の機器が載置されたことを検知する２種類の載置検知手段が設けられ、上記２種類の載置検知手段が所定の順序で一方の機器が載置されたことを検知した時に上記係合部が係合位置に移動するようにし、上記係合部が係合位置への移動力を弾発手段により弾発付勢されていると共に、上記他方の機器には係合部の係合位置への移動を阻止するロック位置と係合部の係合位置への移動を許容するロック解除位置との間を移動するストッパが設けられ、上記２種類の載置検知手段のうち第２の載置検知手段が一方の機器の上記載置面への載置により該第１の機器によって押圧されて移動される移動部材であり、第１の載置検知手段が一方の機器の載置を検知することによって上記第２の載置検知手段とストッパとが連係され、一方の機器の上記載置面への載置による第２の載置検知手段の移動により上記ストッパがロック解除位置へと移動して上記係合部が係合位置へと移動するようにしたものである。
【００２２】
従って、本発明接続機構にあっては、２種類の載置検知手段が所定の順序で一方の機器が載置面に載置されたことを検知しない限り係合部が係合位置に向かって移動することがない。
【００２３】
また、請求項３に記載の接続機構にあっては、移動コネクタの移動がモータを駆動源として為されるので、移動コネクタと接続用コネクタとの間の安定した圧着力を得ることができる。
【００２４】
【発明の実施の形態】
以下に、本発明接続機構の実施の形態を図示した実施例に従って説明する。
【００２５】
尚、図示した実施例は、携帯型のＭＤ（ミニディスク）レコーダーを一方の機器とし、該ＭＤレコーダーを装着してその機能を拡張するステーションアダプタを他方の機器とするものである。
【００２６】
ＭＤはそのフォーマット上、録音及び再生の他かなりのことができるが、ＭＤレコーダー１はその携帯性を重視して録音及び再生の他、再生モードの選択、表示の選択等録音及び再生にあたってどうしても必要な限定した機能のみを搭載してある。そして、ステーションアダプタ２はＭＤレコーダー１を装着して、例えば、分割、合体、消去、順番変更、ディスク名付与、曲名付与等の各種編集機能等を使用できるようにするものである。
【００２７】
ステーションアダプタ２にはその上面に横長矩形の浅い凹部３が形成されており、該凹部３の底面４が上記ＭＤレコーダー１を載置連結する載置面となっている。
【００２８】
ＭＤレコーダー１は横長矩形の厚みの薄い箱状の外形をしており、その右端面（本明細書において方向をいうときは、図１における左斜め下方に向かう方向を左、右斜め上方に向かう方向を右、右斜め下方に向かう方向を前、左斜め上方に向かう方向を後、上方に向かう方向を上、下方に向かう方向を下とする。）に前後に並んで２つの係合凹部５、５が形成されている。また、ＭＤレコーダー１の底面の左端部には前後に長い矩形をした開口６が形成され該開口６の奥に接続用コネクタ７が配置されている。
【００２９】
そして、該開口６を開閉するカバー８が左右方向に摺動自在に設けられ、該カバー８には図示しない弾発手段により左方へ向けての移動力が付勢されている。上記開口６の左端部の前後両側部にはロック部材９、９が上下方向に移動自在に配置されており、該ロック部材９、９には図示しない弾発手段により下方へ向けての移動力が付勢されている。
【００３０】
ＭＤレコーダー１の左側面の下端部のうち上記開口６の両側縁部に対応した部分には切欠１０、１０が形成されており、上記ロック部材９、９が上方へ移動し、且つ、上記カバー８が右方へ移動して開口６が開放された状態で開口６の前後側縁１１、１１が切欠１０、１０を介して左方から見通すことができ、そして、該側縁１１、１１が被係合部とされる。
【００３１】
そして、上記カバー８がその移動範囲の左端にある位置（図２参照）が上記開口６を閉塞してその奥にある接続用コネクタ７を隠蔽する隠蔽位置であり、逆に、カバー８がその移動範囲の右端にある位置（図３参照）が上記開口６を開放してその奥にある接続用コネクタ７を外部に対して露出させる露出位置である。
【００３２】
上記カバー８が隠蔽位置にある状態において上記ロック部材９、９がその移動範囲の下端にある位置がロック位置であり、この状態においてカバー８は右方へ押されても右方への移動が阻止された状態となる。そして、ロック部材９、９が移動範囲の下端から上方へ押し上げられた位置がロック解除位置であり、この状態においてカバー８は右方への移動が許容される状態となる。
【００３３】
ステーションアダプタ２の載置面４の右端部の前後方向におけるほぼ中央部には左右方向に延びるスリット１２を通して第１の載置検知手段１３が左右方向へ移動自在に突出されている。そして、該第１の載置検知手段１３には後述する弾発手段が関連されており、これにより、第１の載置検知手段１３は左方へ向けての移動力を付勢されている。該第１の載置検知手段１３はその左側面１３ａがＭＤレコーダー１の底部の右側部の形状に対応した曲面を為すように形成されている。
【００３４】
また、ステーションアダプタ２の凹部３の右内側面には前後に並んで２つの係合突起１４、１４が突設されている。
【００３５】
更に、載置面４の左端寄りの位置の前後に離間した位置には挿通孔１５、１５を通してピン状をした第２の載置検知手段１６、１６が上下方向に移動自在に突出されている。該第２の載置検知手段１６、１６は後述する弾発手段により上方へ向けての移動力を付勢されている。
【００３６】
また、載置面４の左端部の中央より稍前端寄りの位置には前後方向に長い矩形をしたコネクタ突出孔１７が開設されており、該コネクタ突出孔１７を開閉するシャッター１８が設けられている。
【００３７】
そして、上記コネクタ突出孔１７の前後両側縁の左端部に接する位置に係合部１９、１９が突出されている。尚、この係合部１９、１９の図１に示す位置が非係合位置であり、この状態で、係合部１９、１９はその右端部が凹部３の左内側面から凹部３内に突出している。そして、この係合部１９、１９は左右方向及び上下方向に延びる板状の立ち上げ片１９ａ、１９ａと該立ち上げ片１９ａ、１９ａの上縁から互いに離間する方向に水平に突出した係合片１９ｂ、１９ｂとを有している。また、この係合部１９、１９には後述する弾発手段により右方へ向けての移動力が付勢されている。そして、該係合部１９、１９は後述するストッパにより非係合位置にロックされた状態となっている。
【００３８】
ステーションアダプタ２のうち凹部３の前側の上面には離脱レバー２０が左右方向に移動可能に設けられている。該離脱レバー２０には後述する弾発手段により左方へ向けての移動力が付勢されている。
【００３９】
しかして、上記した第１の載置検知手段１３が右方へ移動された状態で、第２の載置検知手段１６、１６が下方へ移動されると、上記係合部１９、１９はその非係合位置へのロックが解除され、それに付勢されている移動力により右方へ、即ち、係合位置へ向けて移動されると共に、シャッター１８がコネクタ突出孔１７を開放する位置へと移動される。しかしながら、第１の載置検知手段１３が右方へ移動されていない状態で、第２の載置検知手段１６、１６のみが下方へ移動されても、係合部１９、１９の非係合位置へのロックは解除されないようになっている。この辺の詳細については後に詳述する。
【００４０】
そして、第１の載置検知手段１３の右方への移動と第２の載置検知手段１６、１６の下方への移動とは載置面４へのＭＤレコーダー１の載置によって為される。
【００４１】
即ち、ＭＤレコーダー１をその右端部が稍下になるように傾けた状態でその底面の右端を載置面４のうち第１の載置検知手段１３の稍左側に当接させる。その状態から、底面の右端を載置面４に当接させたまま左端部を徐々に下方へ下ろしながら全体を右方へ移動させていく。これによって、第１の載置検知手段１３が右方へ移動されると共に第２の載置検知手段１６、１６が下方へ押し込まれることになる。そして、ＭＤレコーダー１が完全に載置面４上に載置されると、第１の載置検知手段１３が所定の位置まで右方へ移動し、且つ、第２の載置検知手段１６、１６が完全に下方へ押し込まれる。また、この時同時に、係合部１９、１９の右端部がＭＤレコーダー１のロック部材９、９を相対的に上方へ押し上げるので、カバー８に対する遮蔽位置へのロックが解除される。また、ＭＤレコーダー１の右端面に形成された係合凹部５、５に凹部３の右内側面に形成された係合突起１４、１４が係合する。
【００４２】
そして、上記したように、係合部１９、１９が右方へ移動する。この係合部１９、１９の右方への移動に伴って、係合部１９、１９の右端がカバー８の左端の前後両端部を右方へ押圧するので、該カバー８は右方へ、即ち露出位置へ向かって移動される。また、係合部１９、１９の係合片１９ｂ、１９ｂがＭＤレコーダー１の被係合部１１、１１の上側に滑り込んで行ってこれと係合する。それから、後述する移動コネクタがコネクタ突出孔１７を通して載置面４より上方へ突出してきてＭＤレコーダー１の接続用コネクタ７に圧接される。
【００４３】
このようにして、ＭＤレコーダー１はステーションアダプタ２に取着される。
【００４４】
また、ＭＤレコーダー１をステーションアダプタ２から取り外すときは、上記離脱レバー２０を右方へ移動させる。これによって、載置面４から上方へ突出していた移動コネクタはコネクタ突出孔１７から内方へ引っ込み、且つ、係合部１９、１９が非係合位置へと戻され、シャッター１８がコネクタ突出孔１７を閉塞する。これによりＭＤレコーダー１はステーションアダプタ２の載置面４から解き放たれた状態となる。
【００４５】
次に、上記した如き動作を実現するための機構の詳細について説明する。
【００４６】
シャーシ２１は左右方向における中央より稍右寄りの前端部を除く部分２１ａがその他の部分より稍高くなっている。
【００４７】
ほぼ左右方向に長い板状をしたロックスライダー２２がシャーシ２１の上面のほぼ左半分の部分の上面側に左右方向に移動可能に支持されている。該ロックスライダー２２の左端部には左端に開口したほぼ矩形の切欠２３が形成されている。そして、該切欠２３の左端部の前後両側縁に上記係合部１９、１９が形成されている。即ち、該係合部１９、１９は、切欠２３の前後両側縁から立ち上げ片１９ａ、１９ａが上方へ立ち上げられ、該立ち上げ片１９ａ、１９ａの上縁から係合片１９ｂ、１９ｂが互いに離間する方向へ水平に突出されて成るものである。
【００４８】
ロックスライダー２２の左端から稍右方に寄った位置には右方を向いた係合縁２４、２４が形成されている。また、ロックスライダー２２の右端部には上方へ突出された被押圧片２５が形成され、更に、該被押圧片２５より稍左寄りの位置に下方へ突出されたスイッチ押圧片２６が形成されている。
【００４９】
そして、コイルスプリングである弾発手段２７がロックスライダー２２とシャーシ２１との間に張設されており、該弾発手段２７によってロックスライダー２２に右方へ向けての移動力が付勢されている。
【００５０】
板バネ部材２８、２８がシャーシ２１の下面に固定されている。該板バネ部材２８は、左右方向に長い板状に形成されており、そのほぼ中央から左の部分が２叉状に形成されている。そして、板バネ部材２８、２８はそのほぼ中央部と右端部とがシャーシ２１に固定されている。そして、２叉状部分を構成する２つの部分がそれぞれ弾発手段となる。
【００５１】
そして、板バネ部材２８、２８の前側の弾発手段２９ａ、２９ａの左端部が上方へ屈曲され、該屈曲部３０、３０がストッパとされる。また、該前側の弾発手段２９ａ、２９ａの左端から稍右へ寄った前縁からはＬ字状をしたフック片３１、３１が下方へ向けて突設され、該フック片３１、３１の水平に延びる下片３１ａ、３１ａは左方へ向かって延びている。
【００５２】
更に、後側の弾発手段２９ｂ、２９ｂの左端部にはそこから上方へ突出するように第２の載置検知手段１６、１６が固定されている。
【００５３】
そして、これら弾発手段２９ａ、２９ａ、２９ｂ、２９ｂの左端部は、シャーシ２１の左端部に形成された左右方向に長い矩形の孔３２の両側に近接して形成された挿通孔３３、３３の下側に位置し、従って、上記ストッパ３０、３０及び第２の載置検知手段１６、１６は該挿通孔３３、３３を通してシャーシ２１の上側に突出している。そして、ＭＤレコーダー１がステーションアダプタ２に装着される前の状態においては、上記ストッパ３０、３０にロックスライダー２２の係合縁２４、２４が左側から当接し、これによってロックスライダー２２は非係合位置にロックされた状態となる。この時のストッパ３０、３０の位置がロック位置である。そして、弾発手段２９ａ、２９ａがその左端部が下方へ移動するように撓められると、ストッパ３０、３０が下方へ移動し、ロックスライダー２２の係合縁２４、２４の右側から無くなるので、ロックスライダー２２は弾発手段２７によって付勢された移動力によって右方へ移動する。この時のストッパ３０、３０の位置がロック解除位置である。
【００５４】
上記コネクタ突出孔１７を開閉するシャッター１８がシャーシ２１に支持されている。
【００５５】
シャッター１８は前後方向に長い板状をしており、その後端部がシャーシ２１の左端寄りで且つ後端寄りの位置の上面に回動自在に支持されている。そして、その回動支点より稍前側の部分とシャーシ２１の後端部との間にコイルスプリング３４が張設されており、これによってシャッター１８には上方より見て時計回り方向への回動力が付勢されている。そして、シャッター１８の左側縁が非係合位置にある上記係合部１９、１９の立ち上げ片１９ａ、１９ａの右端縁に弾接している。この状態におけるシャッター１８の位置がコネクタ突出孔１７を閉塞している閉塞位置である。そして、係合部１９、１９が係合位置へ移動すると、シャッター１８はその左側縁が後側の係合部１９の立ち上げ片１９ａによって右方へ向けて押圧されるので、コイルスプリング３４による回動力に抗して反時計回り方向へ回動し、コネクタ突出孔１７の真下の位置から右方へ離間し、コネクタ突出孔１７を開放する。この状態におけるシャッター１８の位置が開放位置である。
【００５６】
板バネ材料で形成されたロック解除スライダー３５がシャーシ２１の下面に左右方向に移動可能に支持されている。このロック解除スライダー３５とシャーシ２１との間には圧縮スプリング状の弾発手段３６が介在され、これによって、ロック解除スライダー３５には左方へ向けての移動力が付勢されている。
【００５７】
ロック解除スライダー３５の右端部上面には上記第１の載置検知手段１３が固定されている。即ち、第１の載置検知手段１３にはその下面から連結脚３７が垂設されており、該連結脚３７がシャーシ２１に形成された左右方向に長いスリット１２を通してロック解除スライダー３５の右端部に固定されている。
【００５８】
ロック解除スライダー３５の左端部は左方に開口したコ字状を成しており、２つに別れた左端部３９、３９が連係部とされている。該連係部３９は上記弾発手段２９ａ、２９ｂ間をカバーする幅を有しており、且つ、その前端からは引掛突起４０が前方へ突出されている。該引掛突起４０は前側の弾発手段２９ａに形成されたフック片３１の下片３１ａより僅かに上方で且つその左方に対応して位置している。
【００５９】
しかして、上記ロック解除スライダー３５が右方へ移動すると、引掛突起４０、４０が右方へ移動してフック片３１、３１の下片３１ａ、３１ａの上側に位置する。その状態で、第２の載置検知手段１６、１６が下方へ移動すると、弾発手段２９ｂ、２９ｂの左端部が上記連係部３９、３９を下方へ押圧するので、これによって該連係部３９、３９が下方へ移動する。これに伴って引掛突起４０、４０も下方へ移動するので、該引掛突起４０、４０がフック片３１、３１の下片３１ａ、３１ａを下方へ押圧するので、弾発手段２９ａ、２９ａの左端部が下方へ移動し、従って、該左端部に形成されているストッパ３０、３０がロック解除位置へと移動することになる。
【００６０】
それに対して、ロック解除スライダー３５が右方へ移動されていない状態で第２の載置検知手段１６、１６が下方へ移動しても、連係部３９、３９は下方へ移動するが、引掛突起４０、４０はフック片３１、３１の下片３１ａ、３１ａから左方へ離れて位置しているので、該引掛突起４０、４０がフック片３１、３１に対していわゆる空振りをするため、ストッパ３０、３０はロック解除位置へ移動することがない。
【００６１】
このように、第１の載置検知手段１３が右方へ移動していない状態で第２の載置検知手段１６、１６が下方へ移動されても、係合部１９、１９やシャッター１８は何等その状態が変化することが無く、従って、これら機構が中途半端な状態のままとなってしまうということがない。
【００６２】
次に、移動コネクタを上記接続用コネクタ７と接続していない非接続位置と接続用コネクタ７と接続する接続位置との間で移動させる機構について説明する。
【００６３】
コネクタベース４１がシャーシ２１の下面に回動可能に支持されている。コネクタベース４１は左右方向に長く、そのほぼ中央部がシャーシ２１に回動可能に支持されている。そして、コネクタベース４１の左端部上面側に移動コネクタ４２が支持されている。また、コネクタベース４１の右端からは右方に向かって軸４３が突設され、該軸４３にローラ４４が回転自在に支持されている。
【００６４】
シャーシ２１の下面にはカムギヤ４５が回転可能に支持されている。該カムギヤ４５は図示しないギヤ機構を介して図示しないモータによって上方から見て反時計回り方向に回転されるようになっている。
【００６５】
カムギヤ４５の下面の周縁寄りの部分には、上下用カム４６が周壁状に形成されている。該上下用カム４６は上記コネクタベース４１のローラ４４の上方に対応した位置に形成されており、全周のほぼ半分近くを成す下死点部４６ａ、該下死点部４６ａの時計回り方向側端に連続し比較的急に下方へ向かって変位していく上昇部４６ｂ、該上昇部４６ｂの時計回り方向側端に連続し４分の１円より稍長い範囲に亘って延びると共に緩やかに下方へ向かって変位していく圧着部４６ｃ、該圧着部４６ｃの時計回り方向側端に連続し急激に上方へ向かって変位し下死点部４６ａの反時計回り方向側端に連続する下降部４６ｄが連続的に形成されて成る。そして、上記コネクタベース４１とシャーシ２１との間に引っ張りコイルスプリング状の弾発手段４１ａが張設され、これによって、コネクタベース４１にはその左端部が下方へ移動する方向への回動力が付勢され、従って、そのローラ４４がカムギヤ４５の上下用カム４６に弾接されている。
【００６６】
ＭＤレコーダー１が載置面４に載置されていない状態において、カムギヤ４５は図１５に示す初期位置にあり、コネクタベース４１のローラ４４は下死点部４６ａのうちその中間部より稍上昇部４６ｂ寄りの位置に弾接している。従って、コネクタベース４１はその左端部が最も下降した位置にあり、移動コネクタ４２はコネクタ突出孔１７の下方に位置している。
【００６７】
そして、上記したようにＭＤレコーダー１が載置面４に載置されてロックスライダー２２が右方へ、即ち、係合位置へと移動すると、そのスイッチ押圧片２６がロックスライダー２２の位置を検出する位置検出スイッチ４７を押圧しこれをオンさせる。そして、位置検出スイッチ４７がオンすると、それによって図示しないシステムコントローラがロックスライダー２２が係合位置に達したと判断し図示しないモータを駆動してカムギヤ４５を回転せしめる。
【００６８】
カムギヤ４５が回転して、ローラ４４が上昇部４６ｂと弾接するようになるとローラ４４はこの上昇部４６ｂを転動していく間にその高さが急激に低くされ、従って、コネクタベース４１は前方から見て時計回り方向に回動され、その左端部が急激に上昇され、そこに支持されている移動コネクタ４２がコネクタ突出孔１７から上方へ突出しＭＤレコーダー１の開口６からその中に入り込んでいき、ローラ４４が圧着部４６ｃの反時計回り方向側端に達したところで、移動コネクタ４２はＭＤレコーダー１の接続用コネクタ７と接触するか又は極めて近接した状態となる。そして、ローラ４４が相対的に圧着部４６ｃをその時計回り方向側端まで転動していく間にコネクタベース４１の左端部は更に上昇しそこに支持された移動コネクタ４２が接続用コネクタ７に圧着される。ここでカムギヤ４５の回転が停止される。これが、ＭＤレコーダー１のステーションアダプタ２への装着完了状態であり、この時のカムギヤ４５の位置が圧着位置である（図１６参照）。
【００６９】
このように、モータの駆動力を利用して移動コネクタ４２を接続用コネクタ７に圧着するようにすると、移動コネクタ４２と接続用コネクタ７との安定した圧着力を得ることができる。
【００７０】
そして、上記離脱レバー２０が右方へ移動されると、再び上記図示しないモータがオンし（この詳細については後述する。）、カムギヤ４５が再び回転する。そして、直ぐに、コネクタベース４１のローラ４４が相対的に上下用カム４６の下降部４６ｄを転動していき、この間にコネクタベース４１の左端部は急激に下降し、そこに支持されている移動コネクタ４２はＭＤレコーダー１から抜け出し、更にコネクタ突出孔１７から下方へ移動される。
【００７１】
また、カムギヤ４５の上面のうち上記上下用カム４６の上昇部４６ｂの反時計回り方向側端からやや反時計回り方向に離間した位置に対応した位置に押圧突起４８が突設されており、ローラ４４が下死点部４６ａの反時計回り方向側端に達して直ぐに該押圧突起４８がロックスライダー２２の被押圧片２５を左方へ向かって押圧し始める。これによって、ロックスライダー２２は弾発手段２７による引張力に抗して左方へ移動され、カムギヤ４５が上記初期位置に達すると、ロックスライダー２２が非係合位置に到達する。そして、カムギヤ４５が初期位置に達したところで上記図示しないモータが停止する。ロックスライダー２２が非係合位置に達すると、ロックスライダー２２の下面に摺接していたストッパ３０、３０が弾発手段２９ａ、２９ａの弾発力により上記ロック位置に戻り、ロックスライダー２２の係合縁２４、２４と係合するので、ロックスライダー２２が非係合位置にロックされる。
【００７２】
シャーシ２１の前側上面で左に寄った位置に離脱スライダー４９が左右方向に移動可能に支持され、該離脱スライダー４９に上記離脱レバー２０が固定されている。また、離脱スライダー４９とシャーシ２１との間には引張コイルスプリング状の弾発手段５０が張設されており、これにより、離脱スライダー４９には左方へ向けての移動力が付勢されている。
【００７３】
離脱スライダー４９の右端には押圧部５１が形成され、また、離脱スライダー４９の中間部分には下方へ突出されたスイッチ押圧片５２が形成されている。
【００７４】
しかして、離脱レバー２０が右方へ押圧されることによって離脱スライダー４９が右方へ移動され、それによって、離脱スイッチ５３がスイッチ押圧片５２によって押圧されてオンされ、そして、該離脱スイッチ５３がオンすることによって図示しないモータが駆動されて上記圧着位置にあるカムギヤ４５が再び回転される。
【００７５】
次に、電源が入っていない状態で、ＭＤレコーダー１を載置面４上に載置してしまった場合に、ＭＤレコーダー１をステーションアダプタ２から離脱させる機構について説明する。電源が入っていない状態でＭＤレコーダー１を載置面４に載置すると、ＭＤレコーダー１は載置面４上にロックされるが、モータが駆動されないため、移動コネクタ４２と接続用コネクタ７との接続は為されないし、また、カムギヤ４５の回転によるロックスライダー２２の非係合位置への戻しも行われないので、かかる状態を解除するための何らかの機構を設けておかないと、ＭＤレコーダー１をステーションアダプタ２から取り外すことができない。そこで、かかる場合も、上記離脱レバー２０を右方へ移動することによって、ＭＤレコーダー１をステーションアダプタ２から離脱させることができるようにしてある。
【００７６】
そのために、戻しレバー５４が設けられている。該戻しレバー５４はベーススライダー５５と該ベーススライダー５５に支持された回動レバー５６とから成る。
【００７７】
ベーススライダー５５はほぼ前後に長い板状をしており、シャーシ２１の上面に前後方向に移動可能に支持されている。そして、ベーススライダー５５とシャーシ２１との間にはコイルスプリング５７が張設されており、これにより、ベーススライダー５５には後方へ向けての移動力が付勢されている。また、ベーススライダー５５の中間部分からはピン５８が下方へ向けて突出されている。
【００７８】
回動レバー５６はベーススライダー５５の上面に前後方向へ移動可能に、且つ、回動可能に支持されている。回動レバー５６の前端寄りの位置には前後方向に長い長孔５９が形成され、また、後端寄りの位置には弧状のスリット６０が形成されている。スリット６０の左側縁６０ａの長さは上記長孔５９の長さとほぼ同じにされ、また、後側縁６０ｂは長孔５９の後端部を中心とする円弧状に形成されている。そして、ベーススライダー５５の前端部に立設された軸６１が回動レバー５６の長孔５９に摺動自在に挿通され、また、ベーススライダー５５のほぼ中間部に立設された軸６２が回動レバー５６の円弧状のスリット６０に挿通されている。そして、ベーススライダー５５と回動レバー５６との間にコイルスプリング６３が張設され、これにより、回動レバー５６にはベーススライダー５５に対する後方へ向けての移動力と軸６１と長孔５９との係合部を中心とし上方から見た反時計回り方向への回動力とが付勢されている。従って、スリット６０の左側縁６０ａがベーススライダー５５の軸６２に接触している。
【００７９】
回動レバー５６の後端には押圧ピン６４が垂設され、該押圧ピン６４は非係合位置にあるロックスライダー２２の被押圧片２５に右方から稍離間して対向されている。
【００８０】
カムギヤ４５の上面にはほぼ円筒状をした円筒状カム６５が形成されており、その外周面がカム面とされ、該カム面に上記戻しレバー５４のピン５８が前側から弾接されている。円筒状カム６５のカム面は、２７０度より稍小さい角度範囲に形成され中心からの距離が一定の円弧状をした無変化部６５ａと９０度より稍大きい角度範囲に形成され時計回り方向側に行くに従って中心からの距離が大きくなる変化部６５ｂとを有し、変化部６５ｂはその反時計回り方向側端が無変化部６５ａと連続されており、時計回り方向側端がそのカムギヤ４５の中心からの距離が無変化部６５ａのそれより大きくされており、それによって、変化部６５ｂの時計回り方向側端と無変化部６５ａの反時計回り方向側端との間には段差部６５ｃが形成されている。そして、該段差部６５ｃは、上記上下用カム４６の下降部４６ｄの時計回り方向側端から約３０度の角度範囲だけ時計回り方向へ隔たった位置に形成されている。従って、カムギヤ４５が初期位置にある状態において、戻しレバー５４のピン５８は変化部６５ｂのうち段差部６５ｃから約３０゜の角度範囲反時計回り方向に隔たった部分に弾接しており、この状態において戻しレバー５４はその移動範囲の前端近くに位置しており、回動レバー５６の前端部５６ａが上記離脱スライダー４９の押圧部５１の直ぐ右側に位置している。
【００８１】
そして、電源が入っていない状態で、ＭＤレコーダー１が載置面４に載置されて、ロックスライダー２２が係合位置へと移動してしまった場合、その被押圧片２５は戻しレバー５４の押圧ピン６４の直ぐ左側に位置した状態となる。そこで、離脱レバー２０を右方へ移動させると、それによって離脱スライダー４９が右方へ移動し、その押圧部５１が回動レバー５６の前端部５６ａを右方へ押圧する。これによって、回動レバー５６は長孔５９の軸６１と係合している部分を回動支点として上方から見て反時計回り方向に回動し、従って、その後端部に設けられた押圧ピン６４はほぼ左方へと移動する。押圧ピン６４が左方へと移動すると、それがロックスライダー２２の被押圧片２５を左方へと押圧し、これによって、ロックスライダー２２は左方へ、即ち、非係合位置へ向けて移動され、非係合位置に到達したところでその係合縁２４、２４にストッパ３０、３０が係合し、非係合位置にロックされる。
【００８２】
一方、電源が入っている状態で、ＭＤレコーダー１が載置面４に載置されると、ロックスライダー２２が係合位置へ移動することによってカムギヤ４５が回転するので、直ぐに、戻しレバー５４のピン５８が円筒状カム６５の変化部６５ｂの時計回り方向側端から外れて無変化部６５ａと弾接する。従って、戻しレバー５４はそれに付勢されている移動力によって後方へ移動し、回動レバー５６の前端部５６ａは離脱スライダー４９の押圧部５１の右側から後方へ移動した状態となる。従って、この状態で離脱スライダー４９が右方へ移動しても、その押圧部５１は回動レバー５６の前端部５６ａを右方へ押圧することはなく、いわゆる空振りをすることになる。
【００８３】
そして、離脱スライダー４９が右方へ移動されてカムギヤ４５が再び回転されると、移動コネクタ４２が非接続位置に戻ってからピン５８が円筒状カムの変化部６５ｂによって前方へ押圧され、これによって戻しレバー５４が前方へ移動し、回動レバー５６の前端部５６ａが離脱スライダー４９の押圧部５１の右側に位置した状態となる。
【００８４】
【発明の効果】
以上に記載したところから明らかなように、本発明接続機構は、一方の機器を他方の機器に接続するための接続機構であって、他方の機器には一方の機器の被係合部に係合する係合部が係合位置と非係合位置との間を移動自在に設けられ、また、他方の機器の一方の機器を載置する載置面には一方の機器が載置されたことを検知する２種類の載置検知手段が設けられ、上記２種類の載置検知手段が所定の順序で一方の機器が載置されたことを検知した時に上記係合部が係合位置に移動し、上記係合部が係合位置への移動力を弾発手段により弾発付勢されていると共に、上記他方の機器には係合部の係合位置への移動を阻止するロック位置と係合部の係合位置への移動を許容するロック解除位置との間を移動するストッパが設けられ、上記２種類の載置検知手段のうち第２の載置検知手段が一方の機器の上記載置面への載置により該第１の機器によって押圧されて移動される移動部材であり、第１の載置検知手段が一方の機器の載置を検知することによって上記第２の載置検知手段とストッパとが連係され、一方の機器の上記載置面への載置による第２の載置検知手段の移動により上記ストッパがロック解除位置へと移動して上記係合部が係合位置へと移動するようにしたことを特徴とする。
【００８５】
従って、本発明接続機構にあっては、２種類の載置検知手段が所定の順序で一方の機器が載置面に載置されたことを検知しない限り係合部が係合位置に向かって移動することがない。そのために、機構が中途半端な状態のままとなってしまうことがない。
【００８６】
また、請求項３に記載の発明は、他方の機器に設けられた移動コネクタがモータの駆動力によって移動して一方の機器の接続用コネクタに圧着接続されるものである。
【００８７】
従って、移動コネクタと接続用コネクタとの間に安定した圧着力が得られ、移動コネクタと接続用コネクタとが確実に接続される。
【００８８】
尚、上記した実施例に示した各部の具体的形状乃至構造は、何れも本発明を実施するに際しての具体化のほんの一例を示したものにすぎず、これらによって本発明の技術的範囲が限定的に解釈されることがあってはならないものである。
【図面の簡単な説明】
【図１】図２乃至図１７と共に本発明接続機構の実施の一例を示すものであり、本図は一方の機器としてのＭＤレコーダーと他方の機器としてのステーションアダプタを分離した状態で示す斜視図である。
【図２】一方の機器を底面側から見た斜視図である。
【図３】一方の機器のカバーが露出位置にある状態を示す要部の拡大斜視図である。
【図４】主要機構部を示す分解斜視図である。
【図５】主要機構部の平面図である。
【図６】図５のＶＩ−ＶＩ線に沿う断面図である。
【図７】移動コネクタが接続位置にある状態を図６と同じ部位で切断して示す断面図である。
【図８】図９乃至図１３と共にロックスライダー、板バネ部材及びロック解除レバーを示すものであり、本図はロックスライダーが非係合位置にある状態を示す平面図である。
【図９】図８のＩＸ−ＩＸ線に沿う断面図である。
【図１０】ロック解除レバーが右方に移動された状態を示す平面図である。
【図１１】図１０のＸＩ−ＸＩ線に沿う断面図である。
【図１２】ロックスライダーが係合位置に移動された状態を示す平面図である。
【図１３】図１２のＸＩＩＩ−ＸＩＩＩ線に沿う断面図である。
【図１４】カムギヤの拡大斜視図である。
【図１５】図１６及び図１７と共にロックスライダー、カムギヤ、戻しレバー、離脱スライダーを示すものであり、本図はロックスライダーが非係合位置にある状態を一部を切り欠いて示す平面図である。
【図１６】ロックスライダーが係合位置にある状態を一部を切り欠いて示す平面図である。
【図１７】離脱スライダーにより戻しレバーの回動レバーを回動させた状態を一部を切り欠いて示す平面図である。
【図１８】図１９と共に従来の接続機構の一例を示すものであり、本図は平面図である。
【図１９】一部を切り欠いて示す側面図である。
【符号の説明】
１…一方の機器（ＭＤレコーダー）、２…他方の機器（ステーションアダプタ）、４…載置面、７…接続用コネクタ、８…カバー、１１…被係合部、１３…第１の載置検知手段、１６…第２の載置検知手段、１９…係合部、２７…弾発手段、３０…ストッパ、４２…移動コネクタ
【図１】
0003674651.tif 000002
【図２】
0003674651.tif 000003
【図３】
0003674651.tif 000004
【図４】
0003674651.tif 000005
【図５】
0003674651.tif 000006
【図６】
0003674651.tif 000007
【図７】
0003674651.tif 000008
【図８】
0003674651.tif 000009
【図９】
0003674651.tif 000010
【図１０】
0003674651.tif 000011
【図１１】
0003674651.tif 000012
【図１２】
0003674651.tif 000013
【図１３】
0003674651.tif 000014
【図１４】
0003674651.tif 000015
【図１５】
0003674651.tif 000016
【図１６】
0003674651.tif 000017
【図１７】
0003674651.tif 000018
【図１８】
0003674651.tif 000019
【図１９】
0003674651.tif 000020